(57)【要約】【課題】複数の展開可能なトレイを備える多段排紙トレイにおいて、特定のトレイだけを選択的に展開することができるような構造を備える多段排紙トレイを提供すること。【解決手段】記録紙を下側から支持するために、記録紙の大きさに応じて複数の排紙トレイを段階的に展開できる多段排紙トレイにおいて、引き出し式に展開可能な第１排紙トレイ２７と、第１排紙トレイ２７の下側に位置し、回転可能に接続され、第１排紙トレイの前端側に回転式に展開可能な第２排紙トレイ３５とを備える。第１排紙トレイ２７には、操作者が第２排紙トレイ３５に指で接触できるように切り欠き部４８を形成でき、また第２排紙トレイ３５の前端側には第１排紙トレイ２７を引き出すための把持部４７が形成されていてもよい。【選択図】図１
2006219304.tif 000002
【特許請求の範囲】
【請求項１】
記録紙を下側から支持するために、記録紙の大きさに応じて複数の排紙トレイを段階的に展開できる多段排紙トレイであって、引き出し式に展開可能な第１排紙トレイと、第１排紙トレイの下側に位置し、該排紙トレイの面に平行な面内で回転可能に接続され、第１排紙トレイの前端側に回転式に展開可能な第２排紙トレイとを備えることを特徴とする多段排紙トレイ。
【請求項２】
請求項１において、前記第１排紙トレイには、操作者が第２排紙トレイに指で接触できるように第２排紙トレイが露出する切り欠き部が形成されていることを特徴とする多段排紙トレイ。
【請求項３】
請求項１または２において、前記第２排紙トレイの前端側には前記第１排紙トレイを引き出すための把持部が形成されていることを特徴とする多段排紙トレイ。
【請求項４】
請求項１〜３のいずれか１項において、前記第１排紙トレイまたは第２排紙トレイをその収納状態または展開状態に一時的に係止する手段を備えることを特徴とする多段排紙トレイ。
【請求項５】
請求項１〜４のいずれか１項に記載された多段排紙トレイを備えることを特徴とする記録装置。
【発明の詳細な説明】
【技術分野】
【０００１】
本発明は、プリンタ等において印刷後に排紙された印刷物を一時的に積み置きしておくための排紙トレイに係り、特に用紙の大きさに応じて用紙受け面の大きさを多段に展開することができる多段排紙トレイに関するものである。
【背景技術】
【０００２】
従来の多段排紙トレイ１０１の一例として、図８に示す如く、プリンタ本体１０３の下側に引き出し可能に設けられる一段目の引き出記録紙レイ１０５と、更に一段目の引き出記録紙レイ１０５の下側に引き出し可能に設けられる二段目の引き出記録紙レイ１０７とを備えるものがある。
【０００３】
このような多段の引き出し式トレイは、例えばＢ５サイズの用紙に印刷する場合には一段目の引き出記録紙レイ１０５または二段目の引き出記録紙レイ１０７だけを引き出して用紙を受けるようにし、またＢ５より大きな例えばＡ４サイズの用紙に印刷する場合には、一段目及び二段目の引き出記録紙レイ１０５、１０７を両方引き出して用紙を受けるようにしていた（図８に示す状態）。
【０００４】
【特許文献１】特開平９−１８８４６２号公報
【発明の開示】
【発明が解決しようとする課題】
【０００５】
しかし、上記のような多段の引き出し式トレイでは、一段目または二段目の引き出記録紙レイ１０５、１０７のいずれかを引き出そうとしても、引き出す力によっては一段目と二段目の引き出記録紙レイ１０５、１０７が一緒に引き出されてしまうことある。また、一段目の引き出記録紙レイ１０５だけを引き出そうとしても、二段目の引き出記録紙レイだけが引き出されてしまうようなこともあった。
【０００６】
このような現象は、一段目の引き出記録紙レイ１０５と二段目の引き出記録紙レイ１０７とが同じ方向に引き出されることと、各トレイ間の引き出しレールでの摩擦力の差を調整することが困難であることに起因している。
【０００７】
そこで本発明の目的は、上記のような問題点を解決するべく、複数の展開可能なトレイを備える多段排紙トレイにおいて、特定のトレイだけを選択的に展開することができるような構造を備える多段排紙トレイを提供することにある。
【課題を解決するための手段】
【０００８】
上記目的を達成するため、本願第１の態様の多段排紙トレイは、記録紙を下側から支持するために、記録紙の大きさに応じて複数の排紙トレイを段階的に展開できる多段排紙トレイにおいて、引き出し式に展開可能な第１排紙トレイと、第１排紙トレイの下側に回転可能に接続され、第１排紙トレイの前端側に回転式に展開可能な第２排紙トレイとを備えることを特徴とするものである。
【０００９】
本発明によれば、多段排紙トレイを手前側に引き出す動作だけを行うことにより、第１排紙トレイだけを展開させることができる。この時、第２排紙トレイが一緒に引き出されることがないから、手前に引き出す際の力を加減する必要がない。また第２排紙トレイを回転させる動作だけを行えば、第２排紙トレイだけを展開させることができる。更に多段排紙トレイの全てのトレイを展開させたい場合には、多段排紙トレイを手前側に引き出す動作を行った後に、第２排紙トレイを回転させる動作を行えばよい。
【００１０】
また、本願第２の態様の発明は、第１の態様に記載された多段排紙トレイにおいて、前記第１排紙トレイには、操作者が第２排紙トレイに指で接触できるように第２排紙トレイが露出する切り欠き部が形成されていることを特徴とするものである。本発明によれば、第１排紙トレイの下側に位置する第２排紙トレイを回転させるために、切り欠き部を介して指で第２排紙トレイを操作することができる。
【００１１】
また、本願第３の態様の発明は、第１または第２の態様に記載された多段排紙トレイにおいて、前記第２排紙トレイの前端側には前記第１排紙トレイを引き出すための把持部が形成されていることを特徴とするものである。
【００１２】
本発明によれば、把持部に指を引っ掛けて手前側に引くことにより、第２排紙トレイに接続している第１排紙トレイを展開することができる。一方、このとき第２排紙トレイには回転モーメントが作用しないため、第２排紙トレイは展開されない。
【００１３】
また、本願第４の態様の発明は、第３の態様に記載された多段排紙トレイにおいて、前記把持部には、引いたときに前記第２排紙トレイに回転モーメントを生じない第１位置と、引いたときに前記第２排紙トレイに回転モーメントを生じさせる第２位置とを有することを特徴とするものである。
【００１４】
本発明によれば、把持部の第１位置に指を掛けて引いたときには第１排紙トレイだけが展開され、把持部の第２位置に指を掛けて引いたときには第２排紙トレイだけが展開する。また把持部の第１位置に指を掛けて引いた後、指の位置を把持部の第２位置へずらして引けば、第１排紙トレイと第２排紙トレイとを連続的に展開させることができる。
【００１５】
また、本願第５の態様の発明は、第１〜第４の態様のいずれかに記載された多段排紙トレイにおいて、前記多段排紙トレイは、記録装置の排紙口に対して前方側へ回動可能に設けられ、多段排紙トレイの不使用時には前記排紙口を閉鎖して、多段排紙トレイの面が記録装置のハウジング外面と略面一状態となるように形成されていることを特徴とするものである。
【００１６】
本発明によれば、記録紙全体の収納状態がコンパクトになり、同時に全体の収納外観がまとまりのある美観を有するようになる。
【００１７】
また、本願第６の態様の発明は、第５の態様に記載された多段排紙トレイにおいて、前記把持部は不使用時における多段排紙トレイを手前側に回動させるため取っ手として機能することを特徴とするものである。
【００１８】
本発明によれば、把持部を引いて多段排紙トレイを手前側に回動させた状態で、続けて把持部を引くことにより第１排紙トレイを展開させることができる。従って、第４の態様の発明の構成を併せ備えていれば、多段排紙トレイの回動から、第１排紙トレイ及び第２排紙トレイの展開までを把持部に指を掛けたまま、一連の動作で滑らかに行うことができる。
【００１９】
また、本願第７の態様の発明は、第１〜第６の態様のいずれかに記載された多段排紙トレイにおいて、前記第１排紙トレイまたは第２排紙トレイをその収納状態または展開状態に一時的に係止する手段を備えることを特徴とするものである。
【００２０】
本発明によれば、第１排紙トレイまたは第２排紙トレイが意図せずに展開状態になったり、逆に収納状態になったりすることを防止できる。
【００２１】
また、本願第８の態様の発明は、第１〜第７の態様のいずれかに記載された多段排紙トレイにおいて、前記第２排紙トレイはほぼ半円形の形態であることを特徴とするものである。
【００２２】
本発明によれば、第２排紙トレイの展開中や収納中に外周が同じ軌道を通過するため、角が指等に当たり怪我をする心配がなく、また展開時にはその上に積み置きされている記録紙先端の隅部を掴んで記録紙を回収しやすい。
【００２３】
また、本願第９の態様の記録装置は、第１〜第８の態様のいずれかに記載の多段排紙トレイを備えることを特徴とするものである。
【００２４】
本発明によれば、記録装置で使用する記録紙の大きさに合わせて、容易に所望の排紙トレイの状態を実現することができるから、作業性が良く、効率的な記録装置を提供することができる。
【発明を実施するための最良の形態】
【００２５】
以下、本願発明の実施の形態を図面に基づいて説明する。図１は本発明に係る多段排紙トレイ３を適用したインクジェットプリンタ１を示す斜視図である。インクジェットプリンタ１は、幅方向に長く延びるハウジング５を備え、該ハウジング５の後方側には給紙部７が形成され、前方側には排紙部９が形成されている。ハウジング５の上部から前面にかけて窓部１１が形成されており、該窓部１１は、透明な湾曲したプラスチックカバー１３によって開放可能な状態で閉鎖されている。また、ハウジング５の右側には、プリンタの種々の操作を行うための操作パネル１５が設けられている。
【００２６】
排紙部９には、排紙口１７が形成されており、図１に実線で示す如く、多段排紙トレイ３がプリンタの不使用時に該排紙口１７を閉鎖するように設けられている。多段排紙トレイ３が排紙口１７を閉鎖している状態、即ち多段排紙トレイ３の収納状態では、多段排紙トレイ３の外面４がハウジング５の前面と略面一状態になるように形成されている。これにより、プリンタ全体の収納状態がコンパクトになり、同時に全体の収納外観がまとまりのある美観を有するようになっている。
【００２７】
図２は多段排紙トレイ３の拡大正面図を示す。図２に示す如く、多段排紙トレイ３の左右には回動用突起１９が形成され、この回動用突起１９は各々排紙口１７の内側に形成される突起受け部（図示せず）に受け入れられることにより、多段排紙トレイ３が、図１で破線で示す如く、前側に回動可能な状態で支持されている。また多段排紙トレイ３の左側には、外側へ突出傾向に付勢されている保持突起２１が形成されており、多段排紙トレイ３の収納時に該保持突起２１が排紙口１７の内側に形成された保持突起受け部（図示せず）に押圧状態で係合することにより、多段排紙トレイ３の収納状態を維持できるようになっている。
【００２８】
図３に示す如く、多段排紙トレイ３は、トレイハウジング２２を構成する上部材２３、下部材２５及びトレイハウジング２２内に設けられる引き出記録紙レイ２７及び回転トレイ３５を備えている。引き出記録紙レイ２７は、下部材２５に形成されたレール２９に沿って矢印で示す前後方向に移動可能であり、引き出記録紙レイ２７が収納位置にあるときには、下部材２５の後端に形成された２カ所の係止部３１に、引き出記録紙レイ２７後端の２カ所に形成された弾性変形可能な係止片３３が弾性変形して一時的に係止し、引き出記録紙レイ２７の収納状態を維持することができる。
【００２９】
図４に示す如く、引き出記録紙レイ２７の下側には回転トレイ３５が設けられている。回転トレイ３５はほぼ半円形の部材であり、そのほぼ中心には円形の被支持部３７が形成されており、該被支持部３７が、引き出記録紙レイ２７の裏面にほぼ円形に配置形成された支持突起群３９の周囲に嵌まり込むことで、回転トレイ３５が引き出記録紙レイ２７に対して回転可能に支持されている。回転トレイ３５の周縁には、弾性変形可能な係止突出片４１が形成されており、回転トレイ３５の収納状態（図４に示す状態）では、該係止突出片４１が、引き出記録紙レイ２７の裏面に形成された係止突出片収納時受け部４３に弾性変形して一時係止することで、回転トレイ３５の自由回転を抑制している。また回転トレイ３５の収納状態では、係止突出片４１の肩部４２が引き出記録紙レイ２７の裏面に形成された回転制止部４５に当接することで、回転トレイ３５の本来回転すべき方向とは逆方向の回転を防止している。
【００３０】
回転トレイ３５の前端には、下側へ延びる把持部４７が形成されており、この把持部４７は、多段排紙トレイ３から引き出記録紙レイ２７を引き出すときの取っ手として機能するとともに、収納状態の多段排紙トレイ３を手前側に回動させる際に指を掛ける部分としても機能する。
【００３１】
また図３、図６に示す如く、引き出記録紙レイ２７の前端右側には、ほぼ親指の先端に似た形状の切り欠き部４８が形成されており、この切り欠き部４８において回転トレイ３５を摘んで図３で時計回り方向に１８０度回転させることにより、回転トレイ３５を引き出記録紙レイ２７の先端側に展開させることができる。尚、切り欠き部４８で回転トレイ３５を摘む代わりに、図３において把持部４７の右端側（Ａで示す位置）に指を掛けて手前に引けば回転トレイ３５に回転モーメントが掛かるので、同様に回転トレイ３５を回転させることができる。
【００３２】
回転トレイ３５が引き出記録紙レイ２７の先端側で展開状態となっているとき（図６に示す状態のとき）、係止突出片４１が弾性変形して係止突出片使用時受け部４９（図５、図５において左側に形成されている）に一時係止することで、回転トレイ３５の自由回転を抑制することができる（図５に示す状態）。
【００３３】
図６に示す如く、回転トレイ３５には収納時に回転すべき方向を示す矢印５１が示されており、この矢印５１の下側には図５に示す如く、回転トレイ３５を収納する際に指を掛けるための指掛け切り欠き５３が、回転トレイ３５の周囲のフランジ部分５２に形成されている。
【００３４】
本発明の多段排紙トレイ３は、以上のような構成を備えており、以下その作用について説明する。まず多段排紙トレイ３を使用していないときには、図１に示す如く、多段排紙トレイ３は、排紙部９を閉鎖するように立てた状態になっており、多段排紙トレイ３の保持突起２１が保持突起受け部（図示せず）に押圧状態で係合することで、多段排紙トレイ３の収納状態を維持している。
【００３５】
多段排紙トレイ３を使用する場合には、把持部４７に指を掛けて手前に引くことで、図１の破線で示す如く多段排紙トレイ３が手前に回動してほぼ水平状態になる。この状態から更に把持部４７を手前側に引くと、引き出記録紙レイ２７が引き出される。このとき、回転トレイ３５には回転力が作用しないから、引き出記録紙レイ２７の引き出しによる展開とともに回転トレイ３５も展開してしまうことがない。例えばはがきやＢ５サイズなどの比較的小さめの用紙に印刷をする場合には、用紙受け部分の長さは引き出記録紙レイ２７だけが展開した状態で十分であるので、この状態で印刷を開始すればよい。
【００３６】
例えばＡ４サイズの用紙に印刷をする場合には、引き出記録紙レイ２７が展開しているだけでは用紙受け部分の長さが足りず、用紙が用紙受け部分から落ちてしまう可能性がある。この場合、引き出記録紙レイ２７が展開している状態から、切り欠き部４８に露出している回転トレイ部分を指で掴んで手前に引く。これにより回転トレイ３５が図３で時計回り方向に回転して、図６に示す如く引き出記録紙レイ２７の前方側に回転トレイ３５が展開するようになり、Ａ４サイズの用紙長さでも受けることが可能となる。
【００３７】
印刷完了後は、上記とは反対の動作により、回転トレイ３５及び引き出記録紙レイ２７を多段排紙トレイ３内に収納し、多段排紙トレイ３を上側に回動させて図１の状態に戻す。
【００３８】
上述した作用において、切り欠き部４８に露出している回転トレイ部分を指で掴む代わりに、把持部４７の指を掛ける位置を図３のＡの位置へずらし、そのまま手前に引くことにより回転トレイ３５を展開させることができる。因みにこのような回転トレイ３５の展開方法を採用する場合には、把持部４７に指を掛けて引くことにより、図１に実線で示す状態から多段排紙トレイ３を手前に回動させ、引き出記録紙レイ２７及び回転トレイ３５を順次展開させる動作を一連に滑らかに行うことができる。
【００３９】
次に、本発明の多段排紙トレイ３の他の実施の形態について説明する。図１〜図６に示す実施の形態では、回転トレイ３５がほぼ半円形をしているが、回転トレイ３５は例えば図７に示す如く矩形でもよいし、その他の形状であっても構わない。
【００４０】
また図１〜図６に示す実施の形態では、引き出記録紙レイ２７が一段式であるが、従来技術である図８に示すような２段式の引き出記録紙レイの２段目の引き出記録紙レイ１０７の下側に更に上記のような回転トレイ３５を設けて、２段目の引き出記録紙レイ１０７の先端側に回転トレイ３５が展開できる構造を採用してもよい。
【００４１】
本発明によれば、多段排紙トレイを手前側に引き出す動作だけを行うことにより、第１排紙トレイだけを展開させることができる。この時、第２排紙トレイが一緒に引き出されることがないから、手前に引き出す際の力を加減する必要がない。また第２排紙トレイを回転させる動作だけを行えば、第２排紙トレイだけを展開させることができる。更に多段排紙トレイの全てのトレイを展開させたい場合には、多段排紙トレイを手前側に引き出す動作を行った後に、第２排紙トレイを回転させる動作を行えばよい。
【図面の簡単な説明】
【００４２】
【図１】本発明の多段排紙トレイを適用したインクジェットプリンタの斜視図。
【図２】本発明の多段排紙トレイの正面図。
【図３】本発明の多段排紙トレイの分解斜視図。
【図４】回転トレイが引き出記録紙レイの下側に位置している様子を示す引き出記録紙レイ及び回転トレイの裏面図。
【図５】回転トレイが引き出記録紙レイの前側に突出している様子を示す引き出記録紙レイ及び回転トレイの裏面図。
【図６】引き出記録紙レイが引き出され、回転トレイが回転して引き出記録紙レイの前側に突出している様子を示す多段排紙トレイの使用時正面図。
【図７】本発明の多段排紙トレイの他の実施の形態を示す正面図。
【図８】従来の多段排紙トレイを示す説明図。
【符号の説明】
【００４３】
３  多段排紙トレイ、５  ハウジング、９  排紙部、１７  排紙口、１９  回動用突起、２１  保持突起、２２  トレイハウジング、２３  上部材、２５  下部材、２７  引き出記録紙レイ、２９  レール、３１  係止部、３３  係止片、３５  回転トレイ、３７  被支持部、３９  支持突起群、４１  係止突出片、４３  係止突出片収納時受け部、４５  回転制止部、４７  把持部、４８  切り欠き部、４９  係止突出片使用時受け部、５１  矢印、５２  フランジ部分、５３  指掛け切り欠き
【図１】
2006219304.tif 000003
【図２】
2006219304.tif 000004
【図３】
2006219304.tif 000005
【図４】
2006219304.tif 000006
【図５】
2006219304.tif 000007
【図６】
2006219304.tif 000008
【図７】
2006219304.tif 000009
【図８】
2006219304.tif 000010